(57)【要約】【課題】４色以上の広色域化を図った電気光学装置において、パーシャル表示時に最適な駆動を実現することが可能な電気光学装置及び電子機器を提供することである。【解決手段】少なくとも４色以上のカラーフィルタを備えた画素を有し、全画面表示モードと部分表示モードが切り替え可能な電気光学装置において、ＲＧＢＣ４色の画素を、隣接する第１及び第２の走査線群に田の字形状に配列してデマルチ駆動する場合、全画面表示時においては、プリチャージ駆動を行いながら第１及び第２走査線群に２色の画素データの順序を入れ替えて供給し、パーシャル表示時には、プリチャージ回路とＲＧＢからＲＧＢＣへの色変換を行う画像処理回路を停止してＣの画素に対してデータを供給することなく、画素データの入れ替えも行わない。書き込み不足の場合はＣの画素が配置されない第１の走査線（即ちＧＢの画素が配置される走査線）群のみ画素データの入れ替えを行う。【選択図】図１
2008058572.tif 000002
【特許請求の範囲】
【請求項１】
複数のデータ線と複数の走査線との交差に対応して設けられた画素であって少なくとも４色以上の着色領域を有するカラーフィルタに対応した画素を備え、前記データ線に供給される画像データに基づいて表示を行う表示部を有し、該表示部の全ての画素を駆動して表示を行う全画面表示モードと該表示部の一部の画素からなる表示領域において表示を行う部分表示モードとが切り替え可能な電気光学装置において、
前記表示部に設けられ、前記少なくとも４色以上の着色領域を構成する各色の画素が、隣接する第１及び第２の走査線群に分けて配列され、
前記カラーフィルタの前記着色領域の色よりも少ない数の色の画素データを有する第１の画像データが入力されるとともに、該第１の画像データに基づいて色変換により前記４色以上のカラーフィルタに対応した数の色の画素データを有する第２の画像データに変換して出力する画像処理回路と、
選択信号に基づいて所定本数のデータ線から選択した１本のデータ線に対して前記第２の画像データを時分割した信号を供給するための選択回路を有するとともに、前記第２の画像データを前記選択回路に出力するデータ線駆動回路と、を有し、
前記全画面表示モード時においては、前記データ線駆動回路は、前記第１及び第２の走査線群に対して供給される前記第２の画像データにおける各色の画素データを１フレーム毎に選択順を入れ替えて前記選択回路に供給し、前記部分表示モード時においては、前記データ線駆動回路は、前記画像処理回路を停止するとともに前記第１及び第２の走査線群に対して対応する前記第１の画像データにおける各色の画素データを振り分けて前記選択回路に供給する
ことを特徴とする電気光学装置。
【請求項２】
前記部分表示モード時において、前記第１の画像データの少なくとも一部が供給される前記第１の走査線群についてのみ前記画素データの入れ替えを行い、前記画像処理回路の色変換によって生成された新たな色の前記画素データが供給される前記第２の走査線群については前記画素データの入れ替えを行わないことを特徴とする請求項１に記載の電気光学装置。
【請求項３】
前記全画面表示モード時において、水平帰線期間にプリチャージ電圧を前記画素に供給し、前記部分表示モード時において、前記プリチャージ電圧の供給を停止するプリチャージ回路を具備したことを特徴とする請求項１又は２に記載の電気光学装置。
【請求項４】
前記部分表示モード時の表示領域の前記第２の走査線群に供給する水平走査信号の振幅を、前記第１の画像データの少なくとも一部が供給される前記第１の走査線群に対する水平走査信号の振幅とは異ならせることを特徴とする請求項１乃至３のいずれか１項に記載の電気光学装置。
【請求項５】
前記部分表示モード時において、前記画像処理回路の色変換によって生成された新たな色の前記画素データが供給される前記第２の走査線群については、前記水平走査信号の振幅を低くすることを特徴とする請求項４に記載の電気光学装置。
【請求項６】
前記走査線駆動回路は、前記部分表示モード時において、駆動クロックの周波数を前記全画面表示モード時に比して低下させて駆動する場合は、前記画素データの入れ替えを行わないことを特徴とする請求項１乃至５のいずれか１項に記載の電気光学装置。
【請求項７】
前記第１の画像データは、赤系、緑系及び青系の３色画像信号であり、
前記第２の画像データは、少なくとも４色以上の多色画像信号であることを特徴とする請求項１乃至６のいずれか１項に記載の電気光学装置。
【請求項８】
隣接する前記第１及び第２の走査線群上に４色の画素を田の字に配列し、第１の走査線群上にＲＧＢのうちの２色の画素を配置し、第２の走査線群上にＲＧＢのうちの残りの１色の画素と新たに設けたこれらと異なった第４の色の画素を配置し、
前記画像処理回路は、入力されたＲＧＢ３色の画像データを前記第４の色の画素データを加えた４色画像データに変換するものであり、
前記データ線駆動回路は、前記部分表示モード時においては、前記画像処理回路を停止してＲＧＢの画像データのみを前記データ線に供給し、ＲＧＢの画像データのうちの２色のみが供給される前記第１の走査線群についてのみ前記画素データの入れ替えを行い、前記画像処理回路の色変換によって新たに生成された前記第４の色の前記画素データが供給される前記第２の走査線群については前記画素データの入れ替えを行わないことを特徴とする請求項１乃至７のいずれか１項に記載の電気光学装置。
【請求項９】
上記請求項１乃至８のいずれか１項に記載の電気光学装置によって表示装置を構成したことを特徴とする電子機器。
【発明の詳細な説明】
【技術分野】
【０００１】
本発明は、少なくとも４色以上の着色領域を有するカラーフィルタに対応した画素を有する電気光学装置及び電子機器に関する。
【背景技術】
【０００２】
従来より、液晶装置その他の各種の電気光学装置では、カラー表示を可能とするために、カラーフィルタが設けられている。このカラーフィルタは、画素毎に異なる複数色、例えば、赤、緑、青の着色領域のいずれか一つを配置し、これらの複数色の着色領域を所定のパターンで配列させて構成されている。このような着色領域は、例えば、顔料や染料などの着色材を含む感光性樹脂を用いたフォトリソグラフィ法で形成される。
【０００３】
近年、液晶装置等の電気光学装置である表示装置を備えた電子機器においては、動画像の表示機能の追加や、表示情報量の増加等に伴い、表示装置の高精細化が求められている。また一方で、メディアプレイヤーや携帯電話機等の携帯型の電子機器においては、表示装置の低消費電力化が求められている。
【０００４】
表示装置の高精細化及び低消費電力化という相反する目的を達成する手段として、例えば、携帯電話機の使用時以外の待受けの状態では、表示装置の表示領域の一部分にのみ画像を表示する、いわゆるパーシャル表示（パーシャル駆動）を行う駆動方法が知られている。このような、パーシャル表示を用いた表示装置は、例えば特許文献１に開示されている。
【特許文献１】特開２００３−２４８４６８号公報
【発明の開示】
【発明が解決しようとする課題】
【０００５】
ところで、従来、色の３原色に対応したＲ（赤）、Ｇ（緑）、Ｂ（青）の３色のカラーフィルタが多用されていたものであるが、近年は、電気光学装置の色再現性を向上させることを目的として、多色（４色以上）のカラーフィルタが採用される傾向にある。
【０００６】
一方、上記先行文献１は、パーシャル表示モードにおける非表示領域のデータの書き込みについて開示しているが、広色域化を実現する４色表示パネルのような色数の多い表示パネルにおけるパーシャル表示については開示されていない。また、多色のカラーフィルタを採用して広色域化を図った電気光学装置において、低消費電力化を図る駆動方法については何ら開示されていない。
【０００７】
本願発明は、上記の問題に鑑み、４色以上の広色域化を図った電気光学装置において、パーシャル表示時に最適な駆動を実現することが可能な電気光学装置及び電子機器を提供することを目的とする。
【課題を解決するための手段】
【０００８】
本発明による電気光学装置は、複数のデータ線と複数の走査線との交差に対応して設けられた画素であって少なくとも４色以上の着色領域を有するカラーフィルタに対応した画素を備え、前記データ線に供給される画像データに基づいて表示を行う表示部を有し、該表示部の全ての画素を駆動して表示を行う全画面表示モードと該表示部の一部の画素からなる表示領域において表示を行う部分表示モードとが切り替え可能な電気光学装置において、前記表示部に設けられ、前記少なくとも４色以上の着色領域を構成する各色の画素が、隣接する第１及び第２の走査線群に分けて配列され、前記カラーフィルタの前記着色領域の色よりも少ない数の色の画素データを有する第１の画像データが入力されるとともに、該第１の画像データに基づいて色変換により前記４色以上のカラーフィルタに対応した数の色の画素データを有する第２の画像データに変換して出力する画像処理回路と、選択信号に基づいて所定本数のデータ線から選択した１本のデータ線に対して前記第２の画像データを時分割した信号を供給するための選択回路を有するとともに、前記第２の画像データを前記選択回路に出力するデータ線駆動回路と、を有し、前記全画面表示モード時においては、前記データ線駆動回路は、前記第１及び第２の走査線群に対して供給される前記第２の画像データにおける各色の画素データを１フレーム毎に選択順を入れ替えて前記選択回路に供給し、前記部分表示モード時においては、前記データ線駆動回路は、前記画像処理回路を停止するとともに前記第１及び第２の走査線群に対して対応する前記第１の画像データにおける各色の画素データを振り分けて前記選択回路に供給することを特徴とする。
【０００９】
本発明のこのような構成によれば、画像データを１水平走査期間（１Ｈ）において所定数に分割（例えば２分割）して選択的にデータ線に供給する選択駆動（デマルチ駆動）を行う際に、全画面表示モード時においては、画像処理回路により変換された第２の画像データについて、走査線上の各色の画素データを１フレームごとに入れ替えることによって、１水平走査期間における各色画素へのデータ書込み順序を切り替える動作（ローテーションという）を行いながらデータ線に供給する。これによって、第１及び第２の走査線上の１つの着色領域内で走査線上の各色の画素データ間で選択色の選択順序を１フレームごとに切り替えることができる。換言すれば、異なった色の各画素に信号電圧を書き込む際に、その各色の信号電圧の各色画素への書込み順序がフレームごとに時間的に交互に変えられるので、複数枚のフレームに亘る表示期間では各色画素への書込み時間（充電時間）がほぼ同等になるので、いつも同じ色が強調されてアンバランスになることがなく、色の再現性の向上及び画質の向上を図ることができる。
【００１０】
また、部分表示モード時においては、特にローテーションを行わないので、その分、消費電力を節約することができる。  
従って、４色以上の広色域化を図った電気光学装置において、全画面表示時には画質の向上を図り、パーシャル表示時に省電力を図った最適な駆動を実現することが可能となる。
【００１１】
本発明において、前記部分表示モード時において、前記第１の画像データの少なくとも一部が供給される前記第１の走査線群についてのみ前記画素データの入れ替えを行い、前記画像処理回路の色変換によって生成された新たな色の前記画素データが供給される前記第２の走査線群については前記画素データの入れ替えを行わないことを特徴とする。
【００１２】
このような構成では、部分表示モード時においては、画像処理回路を停止して色変換前の第１の画像データの少なくとも一部をデータ線に供給し、第１の画像データの少なくとも一部が供給される第１の走査線についてのみローテーションを行い、色変換によって生成された新たな色の画素データが供給される第２の走査線についてはローテーションを行わないので、画質も維持しながら消費電力を節約することができる。
【００１３】
本発明において、前記全画面表示モード時において、水平帰線期間にプリチャージ電圧を前記画素に供給し、前記部分表示モード時において、前記プリチャージ電圧の供給を停止するプリチャージ回路を具備したことを特徴とする。
【００１４】
このような構成によれば、部分表示モード時においては、プリチャージ電圧供給の停止を行えば、低消費電力化を図ることができる。さらに、画像処理回路の停止動作と併用して、プリチャージ電圧供給の停止を行えば、一層の低消費電力化を実現できる。
【００１５】
本発明において、前記部分表示モード時の表示領域の前記第２の走査線群に供給する水平走査信号の振幅を、前記第１の画像データの少なくとも一部が供給される前記第１の走査線群に対する水平走査信号の振幅とは異ならせることを特徴とする。
【００１６】
本発明において、前記部分表示モード時において、前記画像処理回路の色変換によって生成された新たな色の前記画素データが供給される前記第２の走査線群については、前記水平走査信号の振幅を低くすることを特徴とする。
【００１７】
このような構成によれば、部分表示モード時の表示領域について、水平走査信号の振幅を低くするので、低消費電力化を図ることができる。
【００１８】
本発明において、前記走査線駆動回路は、前記部分表示モード時において、駆動クロックの周波数を前記全画面表示モード時に比して低下させて駆動する場合は、前記画素データの入れ替えを行わないことを特徴とする。
【００１９】
このような構成では、駆動クロックの周波数を低くして駆動を行うので、書込み時間に余裕ができるため、同一走査線上の各色の画素データ間でローテーションを行って各色画素間への書込み時間を均等にすることを行わなくても、書込み時間を確保できる。
【００２０】
本発明において、前記第１の画像データは、赤系、緑系及び青系の３色画像信号であり、
前記第２の画像データは、少なくとも４色以上の多色画像信号であることを特徴とする。
【００２１】
このような構成によれば、色再現性に優れた表示を行うことが可能となる。
【００２２】
本発明において、隣接する前記第１及び第２の走査線群上に４色の画素を田の字に配列し、第１の走査線群上にＲＧＢのうちの２色の画素を配置し、第２の走査線群上にＲＧＢのうちの残りの１色の画素と新たに設けたこれらと異なった第４の色の画素を配置し、  前記画像処理回路は、入力されたＲＧＢ３色の画像データを前記第４の色の画素データを加えた４色画像データに変換するものであり、前記データ線駆動回路は、前記部分表示モード時においては、前記画像処理回路を停止してＲＧＢの画像データのみを前記データ線に供給し、ＲＧＢの画像データのうちの２色のみが供給される前記第１の走査線群についてのみ前記画素データの入れ替えを行い、前記画像処理回路の色変換によって新たに生成された前記第４の色の前記画素データが供給される前記第２の走査線群については前記画素データの入れ替えを行わないことを特徴とする。
【００２３】
このような構成によれば、４色による広色域化を図った電気光学装置において全画面表示時には画質の向上を図り、パーシャル表示時に省電力を図った最適な駆動を実現することが可能となる。
【００２４】
本発明による電子機器は、上記電気光学装置によって表示装置を構成したことを特徴とする。
【００２５】
本発明のこのような構成によれば、４色以上の広色域化を図った、パーシャル表示時に最適な駆動を実現することが可能な電子機器を提供することができる。
【発明を実施するための最良の形態】
【００２６】
発明の実施の形態について図面を参照して説明する。  
［第１の実施形態］
以下、図面を参照して本発明の実施の形態について詳細に説明する。  
図１は本発明の第１の実施の形態に係る電気光学装置を示す回路図である。本実施の形態は電気光学装置としてＴＦＴアクティブマトリクス駆動方式の液晶パネルを備えた液晶装置に適用したものである。
【００２７】
図２は電気光学装置の画素の構成を示す図である。また、図３は図１の電気光学装置の概観を示す説明図である。図４はアクティブマトリクス基板であるＴＦＴ基板と対向基板とを貼り合わせて液晶を封入する組立工程終了後の液晶パネルの模式的な断面を示す断面図である。  
なお、以下の説明では、本実施形態の電気光学装置１００は、例えば、縦（図中Ｙ方向）２４０画素、横（図中Ｘ方向）１８０画素の行列上に配列された画素で構成される表示部１０を有する、マトリクス型表示装置として説明するが、本発明はこれに限定されるものではない。
【００２８】
本実施の形態に係る電気光学装置１００は、図１に示すように、液晶パネル３０及びＬＣＤコントローラ１１によって構成されている。  
液晶パネル３０は、電気光学物質である液晶を用いた表示部１０、この表示部１０に表示用のデータ及び各種制御信号等を供給する駆動回路３５１、走査線駆動回路３５２及びデータ線駆動回路３５３によって構成される。駆動回路３５１、走査線駆動回路３５２及びデータ線駆動回路３５３によって、ドライバ部３５が構成されている。ドライバ部３５及び表示部１０は、図３に示すように液晶パネル３０上に構成される。また、ＬＣＤコントローラ１１は外部接続基板３１上に搭載されて、液晶パネル３０を構成するＴＦＴ基板３２と外部接続基板３１相互間は、フレキシブル基板（以下、ＦＰＣ基板）３６によって接続されている。ＦＰＣ基板３６によって、ＬＣＤコントローラ１１からのデータ信号やコマンド等の各種信号がドライバ部３５に供給されるようになっている。
【００２９】
ＴＦＴ基板の表示部１０内には、複数本の走査線２と複数本のデータ線１とが交差するように配線されており、走査線２とデータ線１との各交差部分に対応して画素電極４がマトリクス状に形成されている。また、走査線２とデータ線１の各交差部分に対応して画素スイッチング素子である薄膜トランジスタ（Thin Film Transistor；以下ＴＦＴと称する）３が形成されている。また、表示部１０内には、前記画素電極４に対向して対向電極５が形成されている。対向電極５は、表示部１０内のすべての領域に形成されたいわゆるベタ電極であり、対向電極５は対向電極電位（コモン電圧）ＶCOMを供給するコモン電圧供給源７に接続している。
【００３０】
図２に示すように、スイッチング素子であるＴＦＴは、そのソースがデータ線１の１つに接続し、ゲートが走査線２の１つに接続し、ドレインが画素電極４に接続している。画素電極４は対向電極５に対向して配置され、両電極４，５間には電気光学物質である液晶６が介在している。なお、走査線２とデータ線１との各交差部分に対応して、画素が構成される。各画素はＴＦＴ３，画素電極４，対向電極５及び液晶６（図４参照）を備えている。
【００３１】
ＴＦＴ３は走査線２を介して供給される走査信号によってオン状態となり、これにより、データ線１に供給される電圧信号である画像データが画素電極４に供給される。また、対向電極５には、所定の期間ごとに極性が反転する対向電極電位ＶCOMが供給される。このＴＦＴ基板上に形成された画素電極４と、対向電極５との間の電圧が液晶６に印加される。液晶６は、印加された電圧に応じて配向を変化させ、これにより、液晶を透過する光が変調される。すなわち、電極電位ＶCOMを基準として、階調に応じた電位を画素電極４に供給することで画像が表示される。
【００３２】
本実施形態の電気光学装置１００は、カラー表示が可能な液晶装置であって、表示部１０には、図示しないカラーフィルタが設けられている。これらのカラーフィルタは、各画素に対応してＲＧＢＣ４色の着色が施された着色領域を有する。  
ここで、１つの画素１１０を少なくとも４色以上の着色領域で構成した場合は、４色以上の着色領域を構成する各色の画素１１０Ｇ，１１０Ｂ，１１０Ｒ，１１０Ｃをサブ画素として、隣接する第１及び第２の走査線群に分けて配設し、前記４色以上の着色領域を１つのメイン画素とする画素配列構造を形成している。ここで、第１及び第２の走査線群とは１本おきにまとめた走査線の各群を意味している。
【００３３】
本実施形態においては、表示部１０に設けられているカラーフィルタは、各画素に対応した着色領域の色数が４色であり、４色の着色領域に各色それぞれに対応した４つのサブ画素１１０Ｇ、１１０Ｂ、１１０Ｒ、１１０Ｃによって１つの画素１１０が構成される。
【００３４】
例えば、電気光学装置１００は、後述するＲ（赤系）、Ｇ（緑系）、Ｂ（青系）、Ｃ（シアン系）の４色の着色領域を有するカラーフィルタを採用する。
【００３５】
従って、図１の表示部１０では、隣接する第１及び第２の走査線群に４色の画素を田の字に配列し、第１の走査線群にＲＧＢのうちの２色の画素を配置し、第２の走査線群にＲＧＢのうちの残りの１色の画素と新たに設けたこれらと異なった第４の色であるＣ（シアン）の画素を配置し、この４色の田の字の画素配列で１つの色相を持った画素１１０を実現する構成としている。この４色の田の字の画素配列に対して、第１及び第２の走査線群の２画素ごとに２デマルチプレクス（直並列変換）駆動する駆動方法を田の字配列２デマルチ駆動と呼ぶことにする。２デマルチ駆動については、図７及び図９にて後述する。  
また、電気光学装置１００の略矩形状の表示部１０の外側に配設されている走査線駆動回路３５２及びデータ線駆動回路３５３は、半導体チップにより構成されており、ＴＦＴ基板３２上に実装されている。
【００３６】
走査線駆動回路３５２は、走査信号Ｇ１、Ｇ２、Ｇ３、…を、それぞれ１行目、２行目、３行目、…の走査線２に供給するものである。詳細には、走査線駆動回路３５２は、２４０本の走査線２を水平走査期間毎に走査信号供給によって順次１本ずつ選択する。選択した走査線２には走査信号として選択電圧を、他の走査線２には非選択電圧を、それぞれ供給する動作を、垂直走査期間（１フレーム期間）毎に繰り返す。データ線駆動回路３５３は、走査線駆動回路３５２により選択された走査線２に接続された各色の画素に対し、その表示内容（階調）に応じたデータ信号Ｓ１、Ｓ２、Ｓ３、…を、それぞれ１列目、２列目、３列目、…のデータ線１を介して供給するものである。
【００３７】
走査線駆動回路３５２及びデータ線駆動回路３５３は、それぞれ信号線７６及び７２を介して、駆動回路３５１に電気的に接続されている。なお、走査線駆動回路３５２及びデータ線駆動回路３５３は、ＴＦＴ基板３２上に半導体製造工程により形成されるものであってもよい。
【００３８】
ＴＦＴ基板３２上であってデータ線駆動回路３５３に対して表示部１０を挟んで対向する側にはプリチャージ回路４０が形成されている。プリチャージ回路４０は、１水平走査期間（１Ｈ）の水平帰線期間にプリチャージ電圧＋Ｖ又は−Ｖをプリチャージスイッチ４１を介してデータ線１に供給する回路である。プリチャージスイッチ４１は、切替信号ＳＷにより開閉するスイッチ回路であり、切替信号ＳＷとしてハイレベルが供給されている期間だけオンして、複数のデータ線１にプリチャージ電圧＋Ｖ又は−Ｖが供給される。
【００３９】
１水平走査期間（１Ｈ）ごとに対向電極電位ＶCOMが極性反転するので、それに合わせてプリチャージ電圧の極性も変えないと、有利な書き込みが行えない。信号電圧を−極性から＋極性に変更したいがその変更に時間を要するので、プリチャージ電圧として信号電圧が極性反転する前に逆極性の所定の電圧を印加すれば急速に充電される。つまり、プリチャージ電圧印加によって次の１水平走査期間は充電し易くなる。反対の極性のプリチャージ電圧を対向電極電位ＶCOMが極性反転する前の、即ち、画素スイッチング素子としてのＴＦＴのゲートが選択される前の水平帰線期間に印加する。このようなプリチャージ電圧印加の方法は、本実施形態のデマルチ駆動では、図７及び図９にて後述するように、１水平走査期間において画像データを各色の画素ごとに２分割して選択的に各データ線に供給するので、１つの画素当りの書き込み期間が短く、書き込み性が悪くなる虞があるので、その書き込み性を改善する対策として有用である。
【００４０】
次に、図４を参照して液晶パネル３０の全体構成について説明する。図１の表示部１０、走査線駆動回路３５２及びデータ線駆動回路３５３は、図４のＴＦＴ基板３２上に構成される。  
液晶パネル３０は、図４に示すように、例えば、石英基板、ガラス基板、シリコン基板からなるＴＦＴ基板３２と、これに対向配置される、例えばガラス基板や石英基板からなる対向基板３３との間に液晶６を封入して構成される。対向配置されたＴＦＴ基板３２と対向基板３３とは、シール材５２によって貼り合わされている。
【００４１】
ＴＦＴ基板３２上は、上述した走査線２及びデータ線１が設けられると共に、これらの交差に対応してＴＦＴ３が設けられる。また、ＴＦＴ基板３２上には画素を構成する画素電極（ＩＴＯ）４等がマトリクス状に配置される。ＴＦＴ基板３２の画素電極４上には、配向処理が施された配向膜３７が設けられている。
【００４２】
一方、対向基板３３には、ＴＦＴ基板３２のデータ線１、走査線２及びＴＦＴの形成領域に対向する領域、即ち各画素の非表示領域において第１遮光膜２３が設けられている。この第１遮光膜２３によって、対向基板３３側からの入射光がＴＦＴのチャネル領域、ソース領域及びドレイン領域に入射することが防止される。
【００４３】
また、対向基板３３には表示部１０を区画する額縁としての遮光膜５３が設けられている。対向基板３３上及び第１遮光膜２３上に、カラーフィルタ層（以下、ＣＦ層）５１が略全面に亘って形成されている。ＣＦ層５１上には図示しない保護膜層が形成されている。符号１０５も額縁としての遮光膜である。  
ＣＦ層５１は、各画素電極４に対応した位置及び大きさで赤系，緑系，青系，シアン系に着色された有機着色膜であり、各着色部分が画素を構成する。保護膜層は、ＣＦ層５１を保護するため及び各着色部分の厚さの相違を吸収して平坦化するために設けられた有機膜である。
【００４４】
この保護膜層上に対向電極（共通電極）５が対向基板３３の略全面に亘って形成されている。対向電極５上にポリイミド系の高分子樹脂からなる配向膜２２が積層され、所定方向にラビング処理されている。  
各層が形成されたＴＦＴ基板３２と対向基板３３とは、例えば対向基板３３の４辺に沿ってシール材５２を形成すると共に、シール材５２の４隅に図示しない上下導通材を形成して、配向膜３７及び２２が対面するようにシール材５２により貼り合わされる。
【００４５】
そして、ＴＦＴ基板３２と対向基板３３との間に液晶６が封入されている。この構成において、ＴＦＴは走査信号に応じてオンとなり、データ線１１４から供給される画像信号を画素電極４に書き込む。書き込まれた画素電極４と対向電極５との電位差に応じて液晶６の分子集合の配向や秩序が変化して、光を変調し、階調表示を可能にする。
【００４６】
液晶パネル３０のＴＦＴ基板３２の一面には、バックライトとして機能する図示しない照明装置が配置される。照明装置は、ＴＦＴ基板３２の下方から光を出射して、照明装置の上方に配置された液晶パネル３０にバックライト光が入射されるようになっている。
【００４７】
シール材５２の外側の領域には、外部回路との接続のための外部接続端子１０２及びドライバ部３５が設けられている。この外部接続端子１０２には、ＦＰＣ基板３６が圧着され、ＦＰＣ基板３６を介してＬＣＤコントローラ１１から信号が供給されるようになっている。ＬＣＤコントローラ１１は、表示用の画像データ（表示データ）、水平同期信号Ｈsync、垂直同期信号Ｖsync及びドットクロック信号DLCK等をドライバ部３５の駆動回路３５１に供給する。
【００４８】
駆動回路３５１は、外部から供給された垂直同期信号Ｖsync、水平同期信号Ｈsync及びドットクロックDCLKに基づいて、各種タイミング信号を生成する。例えば、駆動回路３５１は、データ転送クロックやデータイネーブル信号等のデータ供給タイミング信号を生成してデータ線駆動回路３５３に出力する。また、駆動回路３５１は、走査スタートパルスDY及び走査側転送クロックCLY等を生成して走査線駆動回路３５２に出力する。
【００４９】
走査線駆動回路３５２は、走査スタートパルスDYが入力されることにより、走査信号Ｇ1，Ｇ2，Ｇ3，…を各走査線２に順次出力する。なお、走査側転送クロックCLYは、走査側の走査速度を規定する信号で、この転送クロックに同期して走査信号Ｇ1，Ｇ2，Ｇ3，…が順次各走査線２に送られる。
【００５０】
また、本実施の形態においては、駆動回路３５１は、表示用のデータをデータ線駆動回路３５３に出力することができる。データ線駆動回路３５３は、データ供給タイミング信号に基づくタイミングで、表示用のデータを各データ線１に供給する。例えば、データ線駆動回路３５３は、データイネーブル信号に基づいて、図示しないシフトレジスタに保持された表示用のデータを水平画素数分並列に出力させるタイミングを決定する。また、データ線駆動回路３５３は、転送クロックに基づいて、各データ線に対応した図示しないデータラッチ回路のサンプリングタイミングを決定する。なお、本実施形態では、データ線駆動回路３５３は、水平画素数分の並列データを入力し、４色以上のカラーフィルタに対応した色数の画素データごとに時分割した画像データ（即ち直列形式にしたデータ）を生成する並直列変換回路と、その画像データを増幅して出力するソースアンプと、選択信号に基づいて所定本数（例えば２本）のデータ線から選択した１本のデータ線に対して前記時分割した画像データを供給するための選択回路を備えている。
【００５１】
次に、４色の着色領域について以下に詳細に述べる。  
着色領域は４色の着色領域で１つの画素を構成する。  
４色の着色領域は、波長に応じて色相が変化する可視光領域（３８０−７８０ｎｍ）のうち、青系の色相の着色領域、赤系の色相の着色領域と、青から黄までの色相の中で選択された２種の色相の着色領域からなる。ここで系と用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【００５２】
具体的な色相の範囲は、  
青系の色相の着色領域は、青紫から青緑であり、より好ましくは藍から青である。  
赤系の色相の着色領域は、橙から赤である。  
青から黄までの色相で選択される一方の着色領域は、青から緑であり、より好ましくは青緑から緑である。  
青から黄までの色相で選択される他方の着色領域は、緑から橙であり、より好ましくは緑から黄である。もしくは緑から黄緑である。
【００５３】
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
【００５４】
これにより、従来のＲＧＢの着色領域よりも広範囲の色再現性を実現することができる。  他の具体的な例として、着色領域を透過する波長で表現する。  
青系の着色領域は、該領域を透過した光の波長のピークが４１５−５００ｎｍにある着色領域、好ましくは、４３５−４８５ｎｍにある着色領域である。  
赤系の着色領域は、該領域を透過した光の波長のピークが６００ｎｍ以上にある着色領域で、好ましくは、６０５ｎｍ以上にある着色領域である。  
青から黄までの色相で選択される一方の着色領域は、該領域を透過した光の波長のピークが４８５−５３５ｎｍにある着色領域で、好ましくは、４９５−５２０ｎｍにある着色領域である。
【００５５】
青から黄までの色相で選択される他方の着色領域は、該領域を透過した光の波長のピークが５００−５９０ｎｍにある着色領域、好ましくは５１０−５８５ｎｍにある着色領域、もしくは５３０−５６５ｎｍにある着色領域である。  
この波長は、透過表示の場合は、照明装置からの照明光がカラーフィルタを通して得られた数値である。反射表示の場合は、外光を反射して得られた数値である。
【００５６】
他の具体的な例として、ｘ、ｙ色度図で表現する。  
青系の着色領域は、ｘ≦０．１５１、ｙ≦０．２００にある着色領域であり、好ましくは、０．１３４≦ｘ≦０．１５１、０．０３４≦ｙ≦０．２００にある着色領域である。
【００５７】
赤系の着色領域は、０．５２０≦ｘ、ｙ≦０．３６０にある着色領域であり、好ましくは、０．５５０≦ｘ≦０．６９０、０．２１０≦ｙ≦０．３６０にある着色領域である。
【００５８】
青から黄までの色相で選択される一方の着色領域は、ｘ≦０．２００、０．２１０≦ｙにある着色領域であり、好ましくは、０．０８０≦ｘ≦０．２００、０．２１０≦ｙ≦０．７５９にある着色領域である。  
青から黄までの色相で選択される他方の着色領域は、０．２５７≦ｘ、０．４５０≦ｙにある着色領域であり、好ましくは、０．２５７≦ｘ≦０．５２０、０．４５０≦ｙ≦０．７２０にある着色領域である。  
このｘ、ｙ色度図は、透過表示の場合は、照明装置からの照明光がカラーフィルタを通して得られた数値である。反射表示の場合は、外光を反射して得られた数値である。  
これら４色の着色領域は、サブ画素に透過領域と反射領域を備えた場合、透過領域及び反射領域も上述した範囲で適用することができるものである。
【００５９】
バックライトとして、ＲＧＢの光源としてＬＥＤ、蛍光管、有機ＥＬを用いても良い。または白色光源を用いても良い。なお、白色光源は青の発光体とＹＡＧ蛍光体により生成される白色光源でもよい。
【００６０】
ＲＧＢ光源としては、以下のものが好ましい。  
Ｂは発光した光の波長のピークが４３５ｎｍ−４８５ｎｍにあるもの  
Ｇは発光した光の波長のピークが５２０ｎｍ−５４５ｎｍにあるもの  
Ｒは発光した光の波長のピークが６１０ｎｍ−６５０ｎｍにあるもの  
そして、ＲＧＢ光源の波長によって、上記カラーフィルタを適切に選定すればより広範囲の色再現性を得ることができる。  
また、波長が例えば、４５０ｎｍと５６５ｎｍにピークがくるような、複数のピークを持つ光源を用いてもよい。
【００６１】
上記４色の着色領域の構成の例として、以下のものがあげられる。  
色相が、赤、青、緑、シアン（青緑）の着色領域  
色相が、赤、青、緑、黄の着色領域  
色相が、赤、青、深緑、黄の着色領域  
色相が、赤、青、エメラルド、黄の着色領域  
色相が、赤、青、深緑、黄緑の着色領域  
色相が、赤、青緑、深緑、黄緑の着色領域
すなわち、本実施形態の電気光学装置１００は、例えば４色の着色領域を有するカラーフィルタを具備して構成されるものであり、電気光学装置１００は、従来のＲＧＢの３色の着色領域を有するカラーフィルタを備えた電気光学装置の色再現範囲よりも広い色再現範囲を有する。
【００６２】
本実施形態の電気光学装置１００は、表示部１０の一部分のみに画像を表示する、いわゆるパーシャル表示を行うことができる。パーシャル表示とは、例えば、表示部１０が縦（図中Ｙ方向）２４０画素、横（図中Ｘ方向）１８０画素の行列上に配列された画素で構成される場合、図５(a)に示すように、縦方向（Ｙ方向）の上端から８０行目から２４０行目の画素の領域を表示領域として画像を表示したり、或いは、図５(b)に示すように、縦方向（Ｙ方向）の上端から８０行目から１２０行目の画素の領域のみを表示領域として画像を表示する表示方法である。このパーシャル表示では、その他の領域である非表示領域には、画像は表示されない。以下、この電気光学装置１００のパーシャル表示の状態を部分表示モードと称し、表示部１０全体の領域に画像が表示される状態を全画面表示モードと称する。なお、本発明の電気光学装置におけるパーシャル表示（部分表示）は図５(a)，(b)に限定されるものではない。
【００６３】
図６は、本実施形態の駆動回路３５１の概略構成を示すブロック図である。  
駆動回路３５１は、外部装置であるＬＣＤコントローラ１１からの画像信号と各種コマンド信号を受信する。駆動回路３５１は、インターフェースコントロール回路（以下、Ｉ／Ｆコントロール回路）１２と、コマンド制御回路１３と、画像処理回路１４と、セレクタ回路１５と、ラッチ回路１６と、ガンマ（γ）補正回路（以下、ガンマ（γ）回路）１７と、増幅器１８と、セレクトタイミング制御回路１９と、信号選択回路２０とを含んで構成される。
【００６４】
Ｉ／Ｆコントロール回路１２には、ＬＣＤコントローラ１１からの画像信号等が入力される。Ｉ／Ｆコントロール回路１２は、入力された画像信号等を所定の単位、例えば８ビット毎にコマンド制御回路１３へ出力する。
【００６５】
コマンド制御回路１３は、入力された信号が、コマンド信号であるか画像信号であるかに応じて、画像処理回路１４とセレクタ回路１５への画像信号と制御信号を出力する。画像信号は、所定の単位で所定のタイミングで画像処理回路１４へ出力される。例えば、コマンド制御回路１３は、２４ビットの単位で画像信号を、１クロック（CLK）毎に画像処理回路１４へ出力される。
【００６６】
また、コマンド制御回路１３は、表示モード、すなわち部分表示モードか全画面表示モードかに応じて、画像処理回路１４へクロック信号（CLK）を供給、あるいは画像処理回路１４へのクロック信号（CLK）の供給を停止する。具体的には、コマンド制御回路１３は、表示モードが全画面表示モードのときには、クロック信号（CLK）を画像処理回路１４へ供給し、部分表示モードのときには、画像処理回路１４へのクロック信号（CLK）の供給を停止する。なお、表示モードを示す信号MODEは、コマンド制御回路１３へ入力されている。
【００６７】
画像処理回路１４は、３色、すなわちＲＧＢ（赤系、緑系、青系）の３つの画像信号を、先に述べた４色の画像信号に変換する色変換回路を含む。色変換回路は、カラーフィルタ（ＣＦ）の着色領域の色よりも少ない数の色（例えば３色）の画素データを有する第１の画像データを入力し、該第１の画像データと、該第１の画像データに基づいて色変換を行って新たに生成した色（例えばシアン系）の画素データとを含んだ、前記カラーフィルタに対応した数の色（例えば４色）の画素データを有する第２の画像データに変換するものである。後述するように、部分表示モード時には、クロック信号CLKは、画像処理回路１４へ入力されないので、画像処理回路１４は駆動動作を停止する。従って、色変換回路の変換動作も停止する。本実施形態では、図５に示すような部分表示モード時においては、色変換回路の動作を停止させてＣの画素に対してデータ供給を停止して低消費電力化を図っている。
【００６８】
セレクタ回路１５には、コマンド制御回路１３から出力された画像信号と画像処理回路１４から出力された画像信号が入力される。セレクタ回路１５は、コマンド制御回路１３からの選択信号（SEL）に基づいて、コマンド制御回路１３から出力された画像信号と画像処理回路１４から出力された画像信号のいずれかを選択して出力する。
【００６９】
また、セレクタ回路１５は、RAM等のラッチ回路１６へ所定の単位で選択した画像信号を出力する。ラッチ回路１６にストアされた画像信号は、ガンマ回路へ１７へ出力される。
【００７０】
なお、セレクタ回路１５は、部分表示モード時は、ラッチ回路１６における、色信号の
１つであるシアン系（Ｃ）の画像信号には、ダミーデータを書き込む。コマンド制御回路１３とセレクタ回路１５は、全画面表示モードの場合には、画像処理回路１４によってＲＧＢＣの４色の画像信号に変換された全画面表示用画像信号を出力し、部分表示モードの場合には、画像処理回路１４の駆動を停止してＲＧＢの３色の画像信号である部分表示用画像信号を出力するように制御する制御回路を構成する。
【００７１】
ガンマ回路１７は、ガンマ補正のための回路であり、入力された画像信号にガンマ補正を施して、ガンマ補正された画像信号を増幅器１８へ供給する。  
増幅器１８は、画像信号を所定の増幅率で増幅するための増幅回路であり、ガンマ回路１７からの画像信号を所定の増幅率で増幅して信号選択回路２０へ供給する。増幅器１８の増幅率は、コマンド制御回路１３から供給される後述の増幅率制御信号（ADJ）によって決定される。
【００７２】
セレクトタイミング制御回路１９は、コマンド制御回路１３からの選択制御信号（SELL）に基づいて、信号選択回路２０へ入力される画像信号を選択して出力するように信号選択回路２０を制御するために、各画像信号の選択信号を信号選択回路２０へ出力する回路である。  
信号選択回路２０は、入力される複数の画像信号を選択するスイッチ回路を含む回路である。信号選択回路２０は、セレクトタイミング制御回路１９からの選択信号に基づいて、所定のタイミングで入力される全画面表示用画像信号と部分表示用画像信号を、表示モードに応じて、所定のタイミングで所定の時間だけ選択して、それぞれ対応するＲ（赤系）用、Ｇ（緑系）用、Ｂ（青系）用及びＣ（シアン系）用のデータ線７２に出力する。
【００７３】
そのために、信号選択回路２０は、Ｒ（赤系）用、Ｇ（青から黄までの色相で選択される他方の着色領域：緑から黄）用、Ｂ（青系）用及びＣ（青から黄までの色相で選択される一方の着色領域：青緑から緑）用の４つのデータ線７２に対応する、４つのスイッチ回路SWR、SWG、SWB、SWCを含む。セレクトタイミング制御回路１９は、４つのスイッチ回路SWR、SWG、SWB、SWCのオン、オフを制御する選択信号R_SEL、G_SEL、B_SEL、C_SELを出力する。
【００７４】
コマンド制御回路１３は、上述したように、画像処理回路１４、セレクタ回路１５及びラッチ回路１６への画像データ等を出力するのに加えて、増幅器１８への増幅率制御信号（ADJ）とセレクトタイミング制御回路１９への選択制御信号（SELL）を出力する。
【００７５】
コマンド制御回路１３は、増幅率制御信号（ADJ）を増幅器１８へ供給し、増幅器１８は、増幅率制御信号（ADJ）に基づいて、全画面表示モード時と部分表示モード時において異なる増幅率で、入力された画像データを増幅する。より具体的には、コマンド制御回路１３は、表示モードが反射モード時には、透過モード時よりも低い増幅率で、画像データを増幅するように、増幅率制御信号（ADJ）を増幅器１８へ供給する。コマンド制御回路１３は、部分表示モードの場合には、部分表示用画像信号を増幅する前記増幅器１８の増幅率を全画面表示モードの場合よりも低くする制御回路を構成する。これにより、部分表示モードにおける、増幅器による消費電力を抑えることができる。
【００７６】
以上の構成を有する、本実施形態の電気光学装置１００の動作を、以下に説明する。  
まず、全画面表示モード時の動作について説明する。  
走査線駆動回路３５２により、１行目、２行目、３行目、…の走査線２に、順次走査信号Ｇ1，Ｇ2，Ｇ3，…が供給される。この動作は、１フレーム期間（１Ｆ）毎に繰り返される。
【００７７】
全画面表示モードの場合、駆動回路３５１は、ＬＣＤコントローラ１１から入力される第１の色画像信号であるＲＧＢの３色の画像信号を、画像処理回路１４において、第２の色画像信号であるＲＧＢＣの４色の画像信号に変換する。また駆動回路３５１は、１フレーム期間の全てにわたってＲＧＢＣの４色の画像信号を出力する。駆動回路３５１から出力された４色の画像信号は、データ線駆動回路３５３に入力され、２デマルチスイッチ回路３５１-2（図７或いは図９参照）を経て、データ信号として各サブ画素１１０Ｒ、１１０Ｃ、１１０Ｇ及び１１０Ｂに供給される。
【００７８】
データ線駆動回路３５３は、全画面表示モード時は、駆動回路３５１から並列（パラレル）に出力される１つの着色領域に対応したＲＧＢＣの４色の画像信号を入力し、これを１つの着色領域ごとにＲＣＧＢの順に直列（シリアル）に並べ替えて出力し、部分表示モード時は、駆動回路３５１から並列（パラレル）に出力される１つの着色領域に対応したＲＧＢの３色の画像信号を入力し、これをその１つの着色領域ごとにＲＧＢの順に直列（シリアル）に並べ替えて出力する複数の並直列変換部を備えた並直列変換回路（図示略）と、この並直列変換回路からＲＣＧＢ又はＲＧＢのシリアル信号を入力し、増幅して出力するソースアンプ３５３-1（図７或いは図１０参照）と、このソースアンプからＲＣＧＢ又はＲＧＢのシリアル信号を入力し、全画面表示モード時は、表示部１０の第１の走査線群の水平方向に隣接する２つの画素Ｇ，ＢにＧ，Ｂの２色の画像信号を供給し、第２の走査線群の水平方向に隣接する２つの画素Ｒ，ＣにＲ，Ｃの２色の画像信号を供給し、部分表示モード時は、表示部１０の第１の走査線群の水平方向に隣接する２つの画素Ｇ，ＢにＧ，Ｂの２色の画像信号を供給し、第２の走査線群の水平方向の１つの画素ＲにＲの１色の画像信号（部分表示モード時には画像処理回路１４の色変換処理が停止するので、Ｃの色の画像信号は生成されないためＲのみの信号となっている）を供給する選択回路である２デマルチスイッチ回路３５３-2（図７或いは図１０参照）と、を備えている。
【００７９】
全画面表示モードでは、１フレーム期間中において、データ線１へのデータ信号の供給は連続的に行われるものであり、これにより、表示部１０の全ての画素にデータ信号が供給され、全画面表示が行われる。
【００８０】
次に、部分表示モード時の動作について説明する。  
全画面表示モードと同様に、走査線駆動回路３５２により、１行目、２行目、３行目、…の走査線２に、順次走査信号Ｇ1，Ｇ2，Ｇ3，…が供給される。この動作は、１フレーム期間（１Ｆ）毎に繰り返される。
【００８１】
部分表示モードの場合、駆動回路３５１の画像処理回路１４は駆動されない。このため駆動回路３５１は、ＬＣＤコントローラ１１から入力されるＲＧＢの３色の画像信号に対して、γ補正と増幅のみを行い、ＲＧＢの３色の画像信号を出力する。また駆動回路３５１は、このＲＧＢの３色の画像信号を、１フレーム期間中の所定の期間のみ出力する。
【００８２】
本実施形態では、具体的には、走査線駆動回路３５２が図５(a)に示す８０行目から２４０行目の走査線２、または、図５(b)に示す８０行目から１２０行目の走査線２に走査信号を供給する期間において、ＲＧＢの３色の画像信号を出力する。駆動回路３５１から出力されたＲＧＢの３色の画像信号は、８０行目から２４０行目の走査線２、または、８０行目から１２０行目の走査線２が選択されている期間において、データ線駆動回路３５３に入力され、２デマルチスイッチ回路３５１-2（図７或いは図１０参照）を経て、データ信号として各サブ画素１１０Ｒ、１１０Ｇ及び１１０Ｂに供給される。サブ画素１１０Ｃが接続されたデータ線２にはデータ信号は供給されない。
【００８３】
これにより、表示部１０の一部分である、８０行目から２４０行目の画素、または、８０行目から１２０行目の画素にのみデータ信号が供給され、部分表示（パーシャル表示）が行われる。  
また、部分表示モードでは、走査線駆動回路３５２により表示領域である８０行目から２４０行目以外の走査線２、または、８０行目から１２０行目以外の走査線２が選択されている期間においては、画像信号が供給されない。すなわち、１行目から７９行目、または、１２１行目から２４０行目の走査線２が選択されている期間において、データ線１には画像信号無し、或いは、対向電極電位ＶCOMを供給する。
【００８４】
なお、上述の本実施形態の電気光学装置１００は、ＲＧＢＣの４色のカラーフィルタが用いられるものであるが、本発明の電気光学装置のカラーフィルタの着色領域に用いられる色及び色数はこの組み合わせに限られるものではない。液晶パネルに使用されるカラーフィルタの着色領域を、５色以上としてもよく、例えば、ＲＧＢＣの４色に加えて、白（無色）の着色領域を使用する構成が考えられる。この場合白表示における輝度を向上させることができる。
【００８５】
次に、図７〜図９を参照して、本実施形態における田の字配列画素に対する２デマルチ駆動について説明する。  
図７は田の字配列２デマルチ駆動の原理を説明する図であり、図８は図７に供給されるＲＣＧＢのシリアル信号Ｓ1，Ｓ2，…を示す図である。  
図7において、(ａ)は田の字配列２デマルチ駆動の回路を示し、(ｂ)は(ａ)の回路における走査線Gate１（図１の第２の走査線に相当）上の画素Ｒ1，Ｃ1に対するＲ，Ｃ信号の書き込みのタイミング、及び、走査線Gate２（図１の第１の走査線に相当）上の画素Ｇ1，Ｂ1に対するＧ，Ｂ信号の書き込みのタイミングを示している。Ｈsyncは水平同期信号である。実際の液晶パネルには、第１及び第２の走査線群を構成する走査線Gate２と走査線Gate１の組は、垂直方向に所定数並んでいるが、ここでは走査線Gate２と走査線Gate１の１組のみを代表させて図示している。
【００８６】
図7(ａ)に示すように、田の字配列の画素Ｒ1，Ｃ1，Ｇ1，Ｂ1の組について、走査線Gate１上に画素Ｒ1，Ｃ1が配置され、走査線Gate２上に画素Ｇ1，Ｂ1が配置されている。縦方向の画素Ｒ1，Ｇ1にはデータ線SEL１が接続し、画素Ｃ1，Ｂ1にはデータ線SEL２が接続している。
【００８７】
データ線駆動回路３５３内には、ＲＧＢＣの４色の画像信号を入力し、これを１つの着色領域ごとにＲＣＧＢ順に直列（シリアル）に並べ替えて（換言すればＲＣＧＢ順に時分割多重して）ＲＣＧＢのシリアル信号として出力する並直列変換回路（図示略）と、この並直列変換回路からＲＣＧＢのシリアル信号を入力し、増幅して出力するソースアンプ３５３-1と、このソースアンプからＲＣＧＢのシリアル信号を入力し、走査線Gate１上の隣接する２つの画素Ｒ1，Ｃ1に対してＲ，Ｃの２色の画像信号を供給し、走査線Gate２上の隣接する２つの画素Ｇ1，Ｂ1に対してＧ，Ｂの２色の画像信号を供給する選択回路である２デマルチスイッチ回路３５３-2と、を備えている。
【００８８】
２デマルチスイッチ回路３５３-2は、シリアル信号が入力する入力端ａとこのシリアル信号を直並列変換（デマルチプレクス）して出力する出力端ｂ，ｃを有するスイッチ回路を複数組備えて構成され、ソースアンプ３５３-1から図８に示すような複数本のＲＣＧＢシリアル信号Ｓ1，Ｓ2，Ｓ3，…を同時に並列に入力し、各シリアル信号ＲＣとＧＢをそれぞれ１Ｈ期間ごとにパラレル信号（Ｒ，Ｃ）、（Ｇ，Ｂ）に分解し、最初の１Ｈの期間には走査線Gate１上の隣接する２つの画素Ｒ1，Ｃ1に対してＲ，Ｃの２色の画像信号を供給し、次の１Ｈの期間には次の走査線Gate２上の隣接する２つの画素Ｇ1，Ｂ1に対してＧ，Ｂの２色の画像信号を供給する。
【００８９】
その結果、図７(ｂ)に示すように、最初の走査線Gate１の画素Ｒ1，Ｃ1には最初の１Ｈの期間にＲ，Ｃの信号が書き込まれ、次の走査線Gate２の画素Ｇ1，Ｂ1には次の１Ｈの期間にＧ，Ｂの信号が書き込まれる。
【００９０】
このように、データ線駆動回路においては、ＲＧＢＣの田の字配列の画素に対して 図７(ｂ)に示すようなデマルチ駆動（１水平走査期間を２分割してデータを供給）を適用することにより、駆動アンプやＤＡＣの数が少なくなりコスト低減が図れる利点がある。
【００９１】
図９は従来の線順次駆動の原理を説明する図であり、(ａ)は線順次駆動の回路を示し、(ｂ)は線順次駆動の書込みタイミングを示している。この従来の線順次駆動では、走査線上の画素Ｒ1，Ｇ1，Ｂ1，Ｒ2，Ｇ2，Ｂ2，…の並び方が上下の他の走査線についても同様であるので、１本の走査線のみ代表させて図示している。
【００９２】
走査線上の画素Ｒ1，Ｇ1，Ｂ1，Ｒ2，Ｇ2，Ｂ2，…に対して、画素信号Ｒ，Ｇ，Ｂ，Ｒ，Ｇ，Ｂ，…が画素Ｒ1，Ｇ1，Ｂ1，Ｒ2，Ｇ2，Ｂ2，…に対応して設けた複数のソースアンプ３５３-1’を介して同時に書き込まれる。このとき、画素信号Ｒ，Ｇ，Ｂ，Ｒ，Ｇ，Ｂ，…は１つの走査線に対して同時に書き込まれ、かつ複数の走査線に対して時間的に１Ｈごとに線順次で書き込まれる。図９(ａ)の従来の線順次駆動の回路は、表示部の走査線上の画素数に対応する分だけ画素信号をデータ線駆動回路から供給する必要があり、図７(ａ)の田の字配列の２デマルチ駆動回路と比較すると、駆動アンプ及びＤＡＣ数が多く、面積が大、消費電力が大となる欠点を有する。
【００９３】
ところで、前述の図７(ｂ)から分かるように、１Ｈの期間に書き込まれたＲ，Ｃの信号のうち、最初に書き込まれるＲ信号は走査線Gate１上の画素Ｒ1に１Ｈの期間に亘って書込み及び保持がなされ、次に書き込まれるＣ信号は走査線Gate１上の画素Ｃ1に１Ｈの期間のうちの後半の期間のみに書込みがなされるために、常時、Ｒ信号とＣ信号の書込み順が決まっていると、Ｒ信号の書込み時間がＣ信号のそれに比べて相対的に長くなって、ＲとＣの色の強さがアンバランスになり、画質に影響を与えることになる。  
そこで、本実施形態では、２デマルチ駆動において、２つの画素への書込み順番を１フレーム毎に入れ替えるローテーション駆動を採用する。
【００９４】
次に、図１０及び図１１を参照して、本実施形態の特徴であるローテーションについて説明する。  
図１０は田の字配列２デマルチ駆動の原理を説明する図である。
【００９５】
図１０(ａ)は田の字配列２デマルチ駆動の回路を示している。図１０(ａ)は、図７(ａ)と同様である。図１０(ｂ)は１フレームごとにローテーションを行った際の１フレーム目，２フレーム目における２デマルチ駆動の書込みタイミングを示している。１フレーム目は図７(ｂ)の駆動タイミングと同様の図となっている。
【００９６】
図１１は、図１０(ａ)の回路に供給される２フレーム目のＣＲＢＧのシリアル信号Ｓ1，Ｓ2，…を示す図である。図１０(ａ)の回路に供給される１フレーム目のＲＣＧＢのシリアル信号Ｓ1，Ｓ2，…は、図８と同様であるので、図示を省略してある。  
図１０(ａ)の回路に供給される２フレーム目のシリアル信号Ｓ1，Ｓ2，…は、ＣＲＢＧの順に並び順が変えられたシリアル信号（図１１参照）が、データ線駆動回路から供給される。
【００９７】
通常の全画面表示時におけるタイミングチャートは、図７(ｂ)、及び、図１０(ｂ)の１フレーム目に示されるように１水平走査期間を２分割して各々のデータを供給していく。２デマルチスイッチ回路３５３-2は、図８に示すシリアルデータを入力し、１Ｈ期間の１／２以下の期間毎に各スイッチを同時に切り替えることにより、走査線Gate１上の画素Ｒ1，Ｃ1に対してデータＲ，Ｃを供給し、走査線Gate２上の画素Ｇ1，Ｂ1に対してデータＧ，Ｂを供給する。
【００９８】
そして、図１０(ｂ)に示されるように１Ｈ期間に約（１／２）Ｈごとに選択される色データ（ＲとＣ、またはＧとＢ）の選択順番（書込み順）を、１フレーム目では各１Ｈ期間の前半にＲ，Ｇが選択され後半にＣ，Ｂが選択され、２フレーム目では各１Ｈ期間の前半にＣ，Ｂが選択され後半にＲ，Ｇが選択されるというように、フレーム単位で交互に入れ替える（ローテーションという）ことによって、隣接する２つの画素への書込み時間のアンバランスを無くして、２つの画素間での書き込み不足を補うことができる。さらに、ローテーションのみではまだ書き込みが不足する場合は、１Ｈ期間における水平帰線期間においてプリチャージ電圧を供給することで１Ｈ期間での書き込みを確実に完了させることができる。
【００９９】
１フレーム目の１Ｈの期間においてはＲ，Ｃ信号が画素Ｒ1，Ｃ1に対して時間的にＲ，Ｃの順番で書き込まれていたのを、２フレーム目の１Ｈの期間においては２デマルチスイッチ回路３５３-2の各スイッチの選択順序を１フレーム目の場合とは逆にすることにより、Ｒ，Ｃ信号が時間的に逆順のＣ，Ｒの順番で書き込まれる。画素Ｇ1，Ｂ1についても同様に、２フレーム目の１Ｈの期間においてはＧ，Ｂ信号が時間的に逆順のＢ，Ｇの順番で書き込まれる。これは、２フレーム目に供給されるデータ信号が図１１に示されるシリアル信号であることと、データ線駆動回路３５３（又は駆動回路３５１）によって２デマルチスイッチ回路３５３-2の各スイッチの出力端ｂ，ｃの切替え順序を、１フレームごとに逆順に制御することによって実現される。
【０１００】
次に、全画面表示とパーシャル表示時における、プリチャージ動作について図１２を参照して説明する。  
図１２は全画面表示モードと部分表示モードのタイミングチャートを示している。(ａ)は全画面表示モード、(ｂ)は部分表示モードの場合をそれぞれ示している。なお、図１２は(ａ)，(ｂ)ともに、プリチャージ動作の有無を示しており、ローテーション動作を示すタイミングについては図示していない。
【０１０１】
Ｐ．Ｃは１Ｈの初期の所定期間に設定されるプリチャージ期間(水平帰腺期間)を示し、Ｄａｔａは１Ｈ期間における水平帰線期間後の期間に設定される画像データ期間を示し、Ｈｉ-zは画像データが供給されない期間を示している。  
図１２(ａ)の全画面表示モード時において、プリチャージ期間Ｐ．Ｃには、図１に示すプリチャージ回路４０に切替信号ＳＷとしてハイレベルのオン信号を供給して、プリチャージ回路４０の各スイッチ４１を同時にオンして水平走査線上の全画素に同じプリチャージ電庄を印加する。同一走査線上のＴＦＴ３が１Ｈ期間に同時にオンするので、各走査線上の画素に対して１Ｈ期間ごとに順次にプリチャージ電庄が印加されることになる。
【０１０２】
画像データ期間Ｄａｔａには、最初の１Ｈ期間において、２デマルチスイッチ回路３５３-2の各スイッチの出力端ｂ，ｃが順に切り替わって、走査線Gate１上の隣接する画素Ｒ1とＣ1に順に画像データが書き込まれ、次の１Ｈ期間においても、２デマルチスイッチ回路３５３-2の各スイッチの出力端ｂ，ｃが順に切り替わって、走査線Gate２上の隣接する画素Ｇ1とＢ1に順に画像データが書き込まれる。
【０１０３】
図１２(ｂ)の部分表示モード時においては、プリチャージ期間を設けていない。プリチャージ回路４０には切替信号ＳＷとしてオフ信号を供給する。Ｒ1の画像に対してはデータＲを供給するが、Ｃ1の画素に対してはデータＣを供給しない。Ｃ1の画素がある走査線に供給する走査信号電圧（換言すればＴＦＴのゲート信号電圧）の振幅を、Ｇ1，Ｂ1の画素が配置される走査線に供給する走査信号電圧の振幅に対して低くなるように変更してもよい。このように部分表示モード時にＣ1の画素がある走査線に供給する走査信号電圧の振幅を低くしても、その走査線に接続した画素スイッチング素子としてのＴＦＴをオンさせるに必要な電圧（振幅）を有していることは勿論である。これにより部分表示モード時における低消費電力化を図ることができる。
全画面表示モードにおいては、水平帰線期間において２デマルチスイッチ回路の３５３-2の各スイッチを同時にオンしてプリチャージ電圧を供給し、３色データから４色データに色変換してＲとＣ、及び、ＧとＢのデータを１フレーム単位でローテーションさせながらデータ線SEL１，SEL２に供給している。
【０１０４】
部分表示モードにおいては、画像処理回路を停止するとともにブリチャージ電圧の供給も停止することで低消費電力化を図る。ここでＧとＢの画素については書き込みの状況に応じて、書き込み不足のときはローテーションを行ってもよいし、ローテーションを停止して固定で供給してもよい。  
また、部分表示モードにおいて、全画面表示モード時に比してクロック周波数を低下させて駆動した場合は、書き込み時間に余裕があるためローテーション停止させることで、低消費電力化を図ることができる。
【０１０５】
以上のように、本実施形態の電気光学装置１００は、全画面表示モード時においては、４色の着色領域を有するカラーフィルタを用いて、色再現性の高い画像を表示することができる。ＲＧＢの画素に追加してＣの画素に対してもデータ供給を行うことで広色域化を図っている。一方で、パーシャル表示時においては、時計表示等に見られるように、全画面表示時のような広色域データによる表示の必要がないので、４つの画素Ｒ，Ｇ，Ｂ及びＣのうちの、Ｒ，Ｇ及びＢの３つのサブ画素にのみデータ信号を供給することで、低消費電力化を図っている。
【０１０６】
例えば、部分表示モード時において、駆動回路３５１の画像処理回路１４の動作を停止してＣの画素に対してデータ供給を停止することで、駆動回路３５１による低消費電力化を図っている。  
また、データ線駆動回路においては、ＲＧＢＣの田の字配列画素に対して２デマルチ駆動を適用している。デマルチ駆動（１水平走査期間を２分割してデータを供給）により駆動アンプ及びＤＡＣの数が少なくなり面積及び消費電力並びにコストの低減が図れる。
【０１０７】
ＲＧＢＣの田の字形状に画素が配列された電気光学パネルをデマルチ駆動する場合、全画面表示時においては、プリチャージ駆動を行いながら２色のデータをローテーションして供給し、パーシャル表示時には、プリチャージ回路と画像処理回路を停止してＣの画素に対してデータを供給することなく、ローテーションも行わない。書き込み不足の場合はＣの画素が配置されないラインのみローテーションを行う。これにより、パーシャル表示時において色変換回路を止めてさらに低消費電力化を図ることができる。さらに、パーシャル表示時において、Ｃの画素が配置されたラインの走査信号の振幅を、Ｃの画素が配置されないラインの走査信号の振幅よりも低く設定することにより、より低消費電力化を図ることができる。
【０１０８】
上述した実施形態に係る電気光学装置は、携帯電話機等の電子機器に適用される。  
次に、上述した実施形態に係る電気光学装置を表示装置として有する電子機器について説明する。  
図１３は、電子機器として携帯電話の外観を示す斜視図である。
【０１０９】
図１３に示すように、携帯電話機１２００は、複数の操作ボタン１２０１の他に、受話口１２０２、送話口１２０３と共に、上述した電気光学装置としての表示装置を構成する表示部１５０を有する。表示部１５０において、例えば携帯電話機１２００が待受け状態であれば、電気光学装置は部分表示モードとされ、表示部１５０には例えば時刻表示のみが行われる。これにより、待受け状態における携帯電話機１２００の消費電力を抑えることができ、長時間携帯電話機１２００を使用することができるようになる。また、携帯電話機１２００の操作時には、電気光学装置は全画面表示モードとされる。全画面表示モード時には色再現性の高い静止画や動画を表示することができる。
【産業上の利用可能性】
【０１１０】
本発明の電気光学装置は、液晶装置だけではなく、電気光学物質にＲ，Ｇ，Ｂ等の映像信号を供給して表示を行うエレクトロルミネッセンス装置、有機エレクトロルミネッセンス装置、プラズマディスブレイ装置、電気泳動ディスプレイ装置、電子放出素子を用いた装置（Field Emission Display 及び Surface-Conduction Electron-Emitter Display等）などの各種の電気光学装置においても本発明を同様に適用することが可能である。
【０１１１】
なお、本発明は、半導体基板に素子を形成する表示用デバイス、例えばＬＣＯＳ（Liquid Crysta1 On Silicon）などにも適用可能である。   
ＬＣＯＳでは素子基板として単結晶シリコン基板を用い、画素や周辺回路に用いるスイッチング素子としてトランジスタを単結晶シリコン基板に形成する。また、画素には反射型の画素電極を用い、画素電極の下層に画素の各素子を形成する。
【０１１２】
なお、本発明の電気光学装置が適用される電子機器としては、携帯電話機の他にも、テレビジョンや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。
【図面の簡単な説明】
【０１１３】
【図１】本発明の第１の実施の形態に係る電気光学装置を示す回路図。
【図２】電気光学装置の画素の構成を示す図。
【図３】図１の電気光学装置の概観を示す説明図。
【図４】アクティブマトリクス基板であるＴＦＴ基板と対向基板とを貼り合わせて液晶を封入する組立工程終了後の液晶パネルの模式的な断面を示す断面図。
【図５】パーシャル表示の説明図。
【図６】本実施形態の駆動回路の概略構成を示すブロック図。
【図７】田の字配列２デマルチ駆動の原理を説明する図。、
【図８】図７に供給されるＲＣＧＢのシリアル信号を示す図。
【図９】図９は従来の線順次駆動の原理を説明する図
【図１０】田の字配列２デマルチ駆動の原理を説明する図。
【図１１】ローテーション駆動において２デマルチスイッチ回路に供給される２フレーム目のＣＲＢＧのシリアル信号を示す図。
【図１２】全画面表示モードと部分表示モードのタイミングチャート。
【図１３】電子機器としての携帯電話機の外観を示す斜視図。
【符号の説明】
【０１１４】
１４…画像処理回路（色変換回路を含む）、１００…電気光学装置、３５１…駆動回路、３５２…走査線駆動回路、３５３-2…２デマルチスイッチ回路（選択回路）、３５３…データ線駆動回路。
【図１】
2008058572.tif 000003
【図２】
2008058572.tif 000004
【図３】
2008058572.tif 000005
【図４】
2008058572.tif 000006
【図５】
2008058572.tif 000007
【図６】
2008058572.tif 000008
【図７】
2008058572.tif 000009
【図８】
2008058572.tif 000010
【図９】
2008058572.tif 000011
【図１０】
2008058572.tif 000012
【図１１】
2008058572.tif 000013
【図１２】
2008058572.tif 000014
【図１３】
2008058572.tif 000015